(57)【要約】【課題】特に観光客が携帯するのに便利な手帳サイズの書籍であって、その書籍に記載された情報に基づいて行動した際の出来事や入手した情報等を自由に書き込み得る手帳型書籍を提供する。【解決手段】複数の綴込み頁４からなる手帳サイズの書籍１であって、綴込み頁４上に、活字２ｂ、イラスト２ａおよび／または写真によって示された古都の自然・文化情報からなる複数の情報記載部２と、情報記載部２それぞれに対応して設けられた複数のメモ部３と、を備えていることを特徴とする。【選択図】図１
0003126994.tif 000002
【実用新案登録請求の範囲】
【請求項１】
複数の綴込み頁からなる手帳サイズの書籍であって、前記綴込み頁上に、活字、イラストおよび／または写真によって示された古都の自然・文化情報からなる複数の情報記載部と、前記情報記載部それぞれに対応して設けられた複数のメモ部と、を備えていることを特徴とする手帳型書籍。
【請求項２】
両表紙間に綴じ込まれた複数の綴込み頁からなる手帳サイズの書籍であって、一方の表紙側の綴込み頁群を、活字、イラストおよび／または写真によって示された古都の自然・文化情報からなる情報記載頁とし、かつ、他方の表紙側の綴込み頁群を、メモ頁および／またはカレンダ頁としたことを特徴とする手帳型書籍。
【考案の詳細な説明】
【技術分野】
【０００１】
本考案は、古都の自然・文化情報等を掲載し、特に観光客等が携帯し使用するのに好適な手帳型の書籍に関する。
【背景技術】
【０００２】
例えば、古都の寺社仏閣や自然公園等の観光名所に関する情報、祭事に関する情報、衣食住に関する生活情報等は、雑誌や書籍の形態を有する観光ガイドブックに掲載され、市場に広く提供されている。
【０００３】
上記の観光ガイドブックを携帯し、実際にその場所に訪れた観光客等は、そこで経験したり感じたりしたことを、備忘のために何かに書きとめたい場合が多々ある。
【考案の開示】
【考案が解決しようとする課題】
【０００４】
しかし、観光ガイドブックには、利用者が何らかの情報を書き込めるようなスペースは設けられていなかった。したがって、観光ガイドブック等の書籍に基づいて行動した際の出来事や知り得た情報等を備忘のために記録するには、別途、手帳やメモ帳等を準備し、携帯する必要があった。
【０００５】
本考案は上記事情に鑑みてなされたものであり、その目的とするところは、特に観光客が携帯するのに便利な手帳サイズの書籍であって、その書籍に記載された情報に基づいて行動した際の出来事や入手した情報等を自由に書き込み得る手帳型書籍を提供することにある。
【課題を解決するための手段】
【０００６】
上記課題を解決するために本考案は、複数の綴込み頁からなる手帳サイズの書籍であって、前記綴込み頁上に、活字、イラストおよび／または写真によって示された古都の自然・文化情報からなる複数の情報記載部と、前記情報記載部それぞれに対応して設けられた複数のメモ部と、を備えていることを特徴とする手帳型書籍を提供するものである。
【０００７】
また、上記課題を解決するために本考案は、両表紙間に綴じ込まれた複数の綴込み頁からなる手帳サイズの書籍であって、一方の表紙側の綴込み頁群を、活字、イラストおよび／または写真によって示された古都の自然・文化情報からなる情報記載頁とし、かつ、他方の表紙側の綴込み頁群を、メモ頁および／またはカレンダ頁としたことを特徴とする手帳型書籍を提供するものである。
【考案の効果】
【０００８】
上記のように構成された本考案の手帳型書籍は、手帳サイズであるので持ち運びに便利であると共に、実際にその場所へ訪れた際にすぐに取り出し得る。したがって、その情報にかかる場所でその自然・文化情報を容易に得ることができると共に、そこでの出来事や知り得た情報および感想等を、備忘のためもしくは自分だけの情報書とするために、メモ部に自由にかつ即座に記入することができる。
【考案を実施するための最良の形態】
【０００９】
以下、図面を参照して本考案の好ましい一実施形態につき説明する。
図１は、本考案にかかる手帳型書籍の一例を示す平面図である。
【００１０】
本考案の手帳型書籍１は持ち運びに便利な手帳サイズに形成されており、図１に示す如く、古都の自然・文化情報として、京都の寺社仏閣における風景を記載したイラスト部２ａと、その寺社仏閣に関する情報を活字により記載した活字部２ｂとからなる情報記載部２と、当該書籍１の利用者が自由に書き込み可能なメモ部３とを、綴込み頁４上に設けた構成となっている。
【００１１】
情報記載部２は、図１に示す如く、綴込み頁４の見開き２頁にわたり、京都の寺社仏閣における庭園や建物等をイラストによって色鮮やかに紹介すると共に、その所在地、祭神、沿革等の詳細な情報を活字により示し、利用者がその寺社仏閣に関する知識や雰囲気を十分に得られるようになっている。
【００１２】
メモ部３は、図１に示す如く、情報記載部２が占める見開き２頁の隅部に設けられており、実際にその寺社仏閣に訪れた際の出来事や入手した情報等を、即座に記入し得るようになっている。
【００１３】
手帳型書籍１は、上記のように京都の寺社仏閣に関する情報を記載した情報記載部２と、それに対応して設けられたメモ部３とからなる綴込み頁を複数備えて構成されている。
【００１４】
上記のように構成された本考案の手帳型書籍１は、手帳サイズであるので持ち運びに便利であると共に、実際にその場所へ訪れた際に容易に取り出し得る。そして、その場で古都の自然・文化情報を的確に得ることができると共に、そこで実際に体験した出来事や知り得た情報および感想等を、備忘のためもしくは自分だけの情報書とするために、メモ部に自由にかつ即座に記入することができる。
【００１５】
以上、本考案の実施の形態について具体的に説明したが、本考案はこれらに限定されるものではない。
上記実施形態においては、同じ見開き２頁上に情報記載部２とメモ部３とを設けたが、ある見開き２頁を全て情報記載部２、すなわち情報記載頁４２とし（図２Ａ参照）、その次の見開き２頁を全てメモ部３、すなわちメモ頁４３とし（図２Ｂ参照）、記入スペースが十分に得られるように構成してもよい。
【００１６】
また、図３に示す如く、手帳型書籍１の複数の綴込み頁４のうち、一方の表紙側の綴込み頁群４ａを情報記載頁４２とし、他方の表紙側の綴込み頁群４ｂをメモ頁４３および／またはカレンダ頁４５として構成してもよい。このとき、例えば、情報記載頁４２の示された情報を古都の祭事に関する情報とし、かつカレンダを旧暦による暦として、情報記載頁４２とカレンダ頁４５とを密接に関連させるように構成してもよい。
【００１７】
また、情報記載部２または情報記載頁４２に記載する情報は、古都の寺社仏閣や自然公園等の観光名所に関する情報、祭事に関する情報、伝統芸能に関する情報、衣食住に関する生活情報等、古都の自然・文化に関する情報であってよい。
なお、上記実施形態では、情報を視覚的に伝えるべくイラスト部２ｂを設けたが、これを写真部としてもよい。
【図面の簡単な説明】
【００１８】
【図１】本考案にかかる手帳型書籍の一例を示す平面図である。
【図２】変形例を示す平面図である。
【図３】別の変形例を示す斜視図である。
【符号の説明】
【００１９】
１  手帳型書籍
２  情報記載部
２ａ  イラスト部
２ｂ  活字部
３  メモ部
４  綴込み頁
【図１】
0003126994.tif 000003
【図２】
0003126994.tif 000004
【図３】
0003126994.tif 000005